(57)【要約】【課題】性能を落とさずに支持部を樹脂成形品で構成することができるようにする。【解決手段】支持部３と、支持部３の上端に前方に向いた略水平状態から略垂直状態へと回動可能に取付けられたアームレスト部５とを備えたアームレスト２であって、支持部３を樹脂成形品で構成すると共に、支持部３の下部を縦リブ３８によって補強し、且つ、支持部３の上部を横リブ３９によって補強するよう構成している。【選択図】        図３
2004299543.tif 000002
【特許請求の範囲】
【請求項１】
支持部と、該支持部の上端に前方に向いた略水平状態から略垂直状態へと回動可能に取付けられたアームレスト部とを備えたアームレストにおいて、
前記支持部を樹脂成形品で構成すると共に、
支持部の下部を縦リブによって補強し、且つ、支持部の上部を横リブによって補強するよう構成したことを特徴とするアームレスト。
【発明の詳細な説明】
【０００１】
【発明の属する技術分野】
この発明は、アームレストに関するものである。
【０００２】
【従来の技術】
自動車などの車両では、車室内の運転席と助手席との間の部分にアームレストを備えたものがある（例えば、特許文献１参照）。
【０００３】
このようなアームレストは、支持部と、この支持部の上端に前方に向いた略水平状態から略垂直状態へと回動可能に取付けられたアームレスト部とを備えている。
【０００４】
【特許文献１】
特開平１０−１００７４７号公報
【０００５】
【発明が解決しようとする課題】
しかしながら、上記従来のアームレストは、支持部が金属製とされていたが、金属製の支持部は高価であるため、性能を落とさずに樹脂成形品で構成することが検討されている。
【０００６】
そこで、本発明の目的は、上記の問題点を解消し、性能を落とさずに支持部を樹脂成形品で構成することができるようにしたアームレストを提供することにある。
【０００７】
【課題を解決するための手段】
上記課題を解決するために、請求項１に記載された発明では、支持部と、該支持部の上端に前方に向いた略水平状態から略垂直状態へと回動可能に取付けられたアームレスト部とを備えたアームレストにおいて、前記支持部を樹脂成形品で構成すると共に、支持部の下部を縦リブによって補強し、且つ、支持部の上部を横リブによって補強するよう構成したアームレストを特徴としている。
【０００８】
このように構成された請求項１にかかる発明によれば、縦方向の強度を要する支持部の下部を縦リブで補強し、且つ、横方向の強度を要する支持部の上部を横リブで補強することにより、補強構造の最適化を図り、樹脂成形品で構成された支持部の各部に必要な強度を付与することができる。また、横リブの隙間を利用することにより支持部の上部に収納空間を形成することが可能となる。
【０００９】
【発明の実施の形態】
以下、本発明を具体化した実施の形態について、図示例と共に説明する。
【００１０】
図１〜図７は、この発明の実施の形態を示すものである。
【００１１】
まず、構成を説明すると、図１に示すように、自動車などの車両における車室内の運転席と助手席との間の部分にセンターコンソールなどのコンソール部１が設けられている。このコンソール部１にアームレスト２が設けられている。
【００１２】
このアームレスト２は、支持部３と、支持部３の上端にヒンジ部４を介して前向きの前方に向いた略水平状態から略垂直状態へと回動可能に取付けられたアームレスト部５とを備えている。
【００１３】
アームレスト部５は、ヒンジ部４を中心として前後方向で且つ上下方向に回動可能なアームレスト本体部６と、このアームレスト本体部６に別のヒンジ部７を介して開閉可能に取付けられたリッド部８とを備えている。アームレスト本体部６は、アームレスト本体枠部９と、このアームレスト本体枠部９の外面を覆うロワカバー１０と、アームレスト本体枠部９の内部に設置されたアームレスト本体内側トレー１１とを備えている。また、リッド部８は、表皮１２と、リッドアウタ部材１３と、リッドインナ部材１４とを備えている。
【００１４】
上記支持部３は、主に支持構造部１７で構成され、この支持構造部１７の外周には外装部材１８が設けられている。ここで、支持構造部１７の下端は、コンソール部１の下方の図示しない床面に固定されている。また、外装部材１８は、コンソール部１の上面から立上るように取付けられている。
【００１５】
外装部材１８は、前カバー１９と、後カバー２０と、左右の側面カバー２１とを備えている。前カバー１９には、その上部に小物入れとなる収納空間２２が一体的に凹設形成されている。また、後カバー２０はその上部に切欠２３を有し、この切欠２３の内側に上記とは別の小物入れとなる収納容器２４が別体で取付けられている。更に後カバー２０はその下部に開口部２５を有し、この開口部２５の内側に別体の灰皿２６などの収納容器を開閉可能に備えている。更に、後カバー２０は、開口部２５の下部にコンソール部１の後端部２７を一体的に備えている。側面カバー２１は、その上部に上記ヒンジ部４を覆うヒンジカバー２８を一体的に備えている。
【００１６】
この実施の形態のものでは、支持部３を樹脂成形品で構成する。そして、支持部３の下部を縦リブ３８によって補強し、且つ、支持部３の上部を横リブ３９によって補強するよう構成する。
【００１７】
より具体的には、支持部３の支持構造部１７が、コンソール部１側の土台部３１と、アームレスト部５側の柱部３２とに上下分割されている。土台部３１は、下面が開口した側面視略箱形状を呈している。土台部３１の前面下部からは前方へ向けて取付アーム３３が延設されており、この取付アーム３３の先端に床面に対する取付孔３４が形成されている。また、土台部３１の後面下部からは取付フランジ３５が突設されており、この取付フランジ３５に床面に対する取付孔３６が形成されている。柱部３２は、後面が開口した平面視略コ字断面を呈している。柱部３２の外面には格子目状の補強リブ３７が略全面に亘って形成されている。そして、柱部３２の内面に対して、上記したように、下部に縦リブ３８が形成され、上部に横リブ３９が形成されている。横リブ３９は、棚状に上下に４段に形成されている。また、縦リブ３８は最下部の横リブ３９の下部に縦仕切り状に４列に形成されている。そして、縦リブ３８は上記収納容器２４を避けた形状とされている。横リブ３９は上記収納空間２２を避けた形状とされている。また、柱部３２の上部には上記ヒンジ部４の収容部４０を備えている。
【００１８】
上記構造に適用するために、支持部３における支持構造部１７の土台部３１と柱部３２との両方を樹脂成形品で構成するようにしている。そして、支持部３の支持構造部１７における柱部３２の下部を縦リブ３８によって補強し、且つ、支持部３の上部を横リブ３９によって補強するようにしている。なお、土台部３１と柱部３２とは一体に形成するようにしても良いことは言うまでもない。
【００１９】
しかし、土台部３１と柱部３２とを別体とした場合には、土台部３１と柱部３２との結合部４５が、前後方向にインロー嵌めされ、且つ、インロー嵌め部分の中央部が略上下方向の回転軸４７を介して左右に回動可能に軸支されるようにする。より具体的には、土台部３１の上部に前後方向へ延びるアリ溝４８が形成され、柱部３２の下部に前後方向へ延びてアリ溝４８にスライド嵌合されるアリ部４９が形成されている。そして、柱部３２下部におけるアリ部４９の後部にはスライドストッパ５０が形成され、土台部３１上部におけるアリ溝４８の後部にはスライドストッパ５０を受ける受溝５１が形成されている。更に、土台部３１上部と柱部３２下部におけるアリ溝４８とアリ部４９とがインロー嵌めされた部分の中心位置に上下方向へ延びる貫通孔５２が形成され、この貫通孔５２に回転軸４７として、ボルト５３が貫通され、ボルト５３の先端にナット５４が螺着されている。
【００２０】
そして、土台部３１と柱部３２との結合部４５が、コンソール部１の上面５７よりも一段低い位置に配置されている。
【００２１】
次に、この実施の形態の作用について説明する。
【００２２】
ヒンジ部４を中心としてアームレスト部５を上方回動させて略垂直状態とすることにより、アームレスト部５を退避させる（不使用状態とする）ことができる。この状態から、ヒンジ部４を中心としてアームレスト部５を下方回動させて前向きの略水平状態とすることにより、乗員はアームレスト部５に肘を乗せることが可能となる。或いは、アームレスト部５に設けられたリッド部８を開閉することにより、アームレスト本体部６のアームレスト本体内側トレー１１に対して物の出入れを行うことができる。
【００２３】
この実施の形態によれば、縦方向の強度を要する支持部３（の柱部３２）の下部を縦リブ３８で補強し、且つ、横方向の強度を要する支持部３（の柱部３２）の上部を横リブ３９で補強することにより、補強構造の最適化を図り、樹脂成形品で構成された支持部３の各部に必要な強度を付与することができる。また、横リブ３９の隙間を利用することにより支持部３の上部に収納空間２２を形成することが可能となる。
【００２４】
また、土台部３１と柱部３２とを別体とした場合に、インロー嵌めと回転軸４７による軸支とを複合した結合構造とすることにより、土台部３１と柱部３２との結合部４５を、所定の荷重まではインロー嵌め部分が耐えると共に、所定の荷重を越えた時にインロー嵌め部分が壊れて回転軸４７を中心に柱部３２およびアームレスト部５が回転して荷重を逃がすようにすることができる。
【００２５】
更に、土台部３１と柱部３２との結合部４５が、コンソール部１の上面５７よりも一段低い位置に配置されることにより、側方からの所定以上の荷重入力によって土台部３１と柱部３２との間の結合部４５が破壊された時に、破壊された結合部４５がコンソール部１の内側に位置して外部に露出することが防止される。
【００２６】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００２７】
【発明の効果】
以上説明してきたように、請求項１の発明によれば、縦方向の強度を要する支持部の下部を縦リブで補強し、且つ、横方向の強度を要する支持部の上部を横リブで補強することにより、補強構造の最適化を図り、樹脂成形品で構成された支持部の各部に必要な強度を付与することができる。また、横リブの隙間を利用することにより支持部の上部に収納空間を形成することが可能となる、という実用上有益な効果を発揮し得る。
【図面の簡単な説明】
【図１】本発明の実施の形態の全体斜視図である。
【図２】図１の分解斜視図である。
【図３】図１の側方断面図である。
【図４】図のＡ−Ａ断面図である。
【図５】図のＢ−Ｂ断面図である。
【図６】図のＣ−Ｃ断面図である。
【図７】図１の支持部の斜視図である。
【符号の説明】
２    アームレスト
３    支持部
５    アームレスト部
３８  縦リブ
３９  横リブ
【図１】
2004299543.tif 000003
【図２】
2004299543.tif 000004
【図３】
2004299543.tif 000005
【図４】
2004299543.tif 000006
【図５】
2004299543.tif 000007
【図６】
2004299543.tif 000008
【図７】
2004299543.tif 000009